(57)【要約】【課題】携帯機器を保有している外出先でも、屋内の記録装置と同様の早見再生を行うことができるようにする。【解決手段】記録装置は、転送対象のタイトルを記録装置内部で早見再生するとともに、早見再生しているタイトルを再記録する（Ｓ１）。記録装置は、転送対象のタイトルの通常再生コンテンツ用のチャプタ情報に対して、早見時間軸変換処理を施して、早見再生ファイル用のチャプタ情報を生成する（Ｓ２，Ｓ３）。記録装置は、早見再生ファイルにチャプタ情報を付加する（Ｓ４）。本発明は、例えばコンテンツを送受信して再生を行う再生装置に適用可能である。【選択図】図６
2009070525.tif 000002
【特許請求の範囲】
【請求項１】
コンテンツの記録を制御する情報処理装置において、
前記コンテンツの再生形態を、第１の時間軸に従って再生される第１の形態から、前記第１の時間軸とは異なる第２の時間軸で再生される第２の形態に変換する再生形態変換手段と、
前記第１の形態の前記コンテンツに対して時間位置が特定される第１の情報を、前記第２の形態の前記コンテンツに対して時間位置が特定される第２の情報に変換する情報変換手段と、
前記再生形態変換手段により再生形態が前記第２の形態に変換された前記コンテンツと、前記情報変換手段により前記第１の情報から変換された前記第２の情報とを対応付けて、第１の記録媒体に記録することを制御する記録制御手段と
を備える情報処理装置。
【請求項２】
前記第１の記録媒体には、前記第１の形態の前記コンテンツと前記第１の情報を含む第１のファイルが予め記録されており、
前記記録制御手段は、さらに、前記第２の形態の前記コンテンツと前記第２の情報を含む第２のファイルを生成し、前記第２のファイルを前記第１のファイルと対応付けて前記第１の記録媒体に記録することを制御する
請求項１に記載の情報処理装置。
【請求項３】
前記情報処理装置は、さらに、
前記第２のファイルを前記第１の記録媒体からムーブ先の第２の記録媒体に転送し、前記第１のファイルに含まれる前記コンテンツの再生可否を、再生可能な活性状態から、再生不可能な不活性状態に遷移させることで、ムーブアウトを行う
請求項２に記載の情報処理装置。
【請求項４】
前記情報処理装置は、さらに、
前記ムーブアウト後、前記第２の記録媒体を占有して前記情報処理装置の管理下においたとき、前記第１のファイルに含まれる前記コンテンツの状態を前記不活性状態から前記活性状態に一時的に遷移させる
請求項３に記載の情報処理装置。
【請求項５】
前記情報処理装置は、さらに、
前記第２の記録媒体を占有して前記情報処理装置の管理下においた後、その管理下から前記第２の記録媒体を外したとき、前記第１のファイルに含まれる前記コンテンツの状態を前記一時的な活性状態から前記不活性状態に遷移させる
請求項４に記載の情報処理装置。
【請求項６】
コンテンツの記録を制御する情報処理装置の情報処理方法において、
前記情報処理装置が実行するステップとして、
前記コンテンツの再生形態を、第１の時間軸に従って再生される第１の形態から、前記第１の時間軸とは異なる第２の時間軸で再生される第２の形態に変換し、
前記第１の形態の前記コンテンツに対して時間位置が特定される第１の情報を、前記第２の形態の前記コンテンツに対して時間位置が特定される第２の情報に変換し、
再生形態が前記第２の形態に変換された前記コンテンツと、前記第１の情報から変換された前記第２の情報とを対応付けて、記録媒体に記録することを制御する
ステップを含む情報処理方法。
【請求項７】
コンテンツの記録を制御するコンピュータに、
前記コンテンツの再生形態を、第１の時間軸に従って再生される第１の形態から、前記第１の時間軸とは異なる第２の時間軸で再生される第２の形態に変換し、
前記第１の形態の前記コンテンツに対して時間位置が特定される第１の情報を、前記第２の形態の前記コンテンツに対して時間位置が特定される第２の情報に変換し、
再生形態が前記第２の形態に変換された前記コンテンツと、前記第１の情報から変換された前記第２の情報とを対応付けて、記録媒体に記録することを制御する
ステップを実行させるプログラム。
【発明の詳細な説明】
【技術分野】
【０００１】
本発明は、情報処理装置および方法並びにプログラムに関し、特に、携帯機器を保有している外出先でも、屋内の記録装置と同様の早見再生を行うことができるようになった情報処理装置および方法並びにプログラムに関する。
【背景技術】
【０００２】
近年、テレビジョン放送の録画等を行う記録装置は、ハードディスクドライブ（ＨＤＤ：Hard Disk Drive）などの大容量記録媒体の導入により、長時間の記録ができるようになってきた。
【０００３】
一方でユーザの視聴時間は有限である。よって、その有限時間内で長時間録画した番組などをユーザが視聴できるように、再生時間を短縮する機能を有する記録装置も近年登場してきている。即ち、再生時間を短縮する機能とは、通常再生速度よりも速い速度で再生する機能であるいわゆる「音声付き早見再生（以下、早見再生と称する）」や、ハイライトシーンのみを抽出して再生する機能であるいわゆる「ダイジェスト再生」や「ハイライト再生」といった機能をいう。また、ユーザが外出先でも視聴できるように、携帯機器用の動画ファイル（以下、携帯動画ファイルと称する）を作成して、携帯機器に転送する機能を有する記録装置も近年登場してきている（特許文献１乃至５参照）。
【０００４】
このような状況の下、携帯機器を保有している外出先でも、屋内の記録装置と同様の早見再生を行いたいという要望が多数のユーザから挙げられるようになってきている。
【特許文献１】特開２００５−２５１３７４号公報
【特許文献２】特開２００４−４０６２９号公報
【特許文献３】特開２００６−５４６１９号公報
【特許文献４】特開２００３−３７８１７号公報
【特許文献５】特開２００６−４５４３号公報
【発明の開示】
【発明が解決しようとする課題】
【０００５】
しかしながら、現状、かかる要望に十分に応えることができているとは言い難い状況である。
【０００６】
即ち、そもそも、早見再生機能を有しない携帯機器が多い。よって、このような早見再生機能を有していない携帯機器を利用して、早見再生を可能にするためには、携帯動画ファイル自身を早見再生専用のファイルとしておく必要がある。即ち、例えばフレームの間引き処理が施された映像信号や音声信号を含むように、携帯動画ファイルを予め作成しておく必要がある。
【０００７】
従来の技術で、このような早見再生専用の携帯動画ファイルを作成する手法としては、次のような手法が存在した。即ち、早見再生機能とＨＤＤを有する第１の装置と、携帯動画ファイル作成機能を有する第２の装置とを接続して、第１の装置に、ＨＤＤに録画された放送番組等の早見再生を行わせ、その早見再生がなされた際の映像信号と音声信号とを第１の装置から第２の装置に転送させ、第２の装置に、入力された映像信号と音声信号とを含む携帯動画ファイルを作成させる、といった手法が従来存在する。
【０００８】
しかしながら、かかる手法では、早見再生された放送番組等が持つ付加情報（メタデータ等）のうちの、チャプタ情報など時間に関わる付加情報は、携帯動画ファイルに引き継がれないことになる。また、かかる手法は、アナログ放送の放送番組には適用できるが、デジタル放送の放送番組には適用できない。現在のデジタル放送は１回のみコピーを許可するコピーワンスでほとんど放送されており、ＨＤＤに録画されたデジタル放送番組はコピー禁止のコピーネバーになるためである。
【０００９】
本発明は、このような状況に鑑みてなされたものであり、携帯機器を保有している外出先でも、屋内の記録装置と同様の早見再生を行えるようにするものである。
【課題を解決するための手段】
【００１０】
本発明の一側面の情報処理装置は、コンテンツの記録を制御する情報処理装置であって、前記コンテンツの再生形態を、第１の時間軸に従って再生される第１の形態から、前記第１の時間軸とは異なる第２の時間軸で再生される第２の形態に変換する再生形態変換手段と、前記第１の形態の前記コンテンツに対して時間位置が特定される第１の情報を、前記第２の形態の前記コンテンツに対して時間位置が特定される第２の情報に変換する情報変換手段と、前記再生形態変換手段により再生形態が前記第２の形態に変換された前記コンテンツと、前記情報変換手段により前記第１の情報から変換された前記第２の情報とを対応付けて、第１の記録媒体に記録することを制御する記録制御手段とを備える。
【００１１】
前記第１の記録媒体には、前記第１の形態の前記コンテンツと前記第１の情報を含む第１のファイルが予め記録されており、前記記録制御手段は、さらに、前記第２の形態の前記コンテンツと前記第２の情報を含む第２のファイルを生成し、前記第２のファイルを前記第１のファイルと対応付けて前記第１の記録媒体に記録することを制御する。
【００１２】
前記情報処理装置は、さらに、前記第２のファイルを前記第１の記録媒体からムーブ先の第２の記録媒体に転送し、前記第１のファイルに含まれる前記コンテンツの再生可否を、再生可能な活性状態から、再生不可能な不活性状態に遷移させることで、ムーブアウトを行う。
【００１３】
前記情報処理装置は、さらに、前記ムーブアウト後、前記第２の記録媒体を占有して前記情報処理装置の管理下においたとき、前記第１のファイルに含まれる前記コンテンツの状態を前記不活性状態から前記活性状態に一時的に遷移させる。
【００１４】
前記情報処理装置は、さらに、前記第２の記録媒体を占有して前記情報処理装置の管理下においた後、その管理下から前記第２の記録媒体を外したとき、前記第１のファイルに含まれる前記コンテンツの状態を前記一時的な活性状態から前記不活性状態に遷移させる。
【００１５】
本発明の一側面の情報処理方法およびプログラムは、上述した本発明の一側面の情報処理装置に対応する方法およびプログラムである。
【００１６】
本発明の一側面の情報処理装置および方法並びにプログラムにおいては、コンテンツの再生形態が、第１の時間軸に従って再生される第１の形態から、前記第１の時間軸とは異なる第２の時間軸で再生される第２の形態に変換され、前記第１の形態の前記コンテンツに対して時間位置が特定される第１の情報が、前記第２の形態の前記コンテンツに対して時間位置が特定される第２の情報に変換され、再生形態が前記第２の形態に変換された前記コンテンツと、前記第１の情報から変換された前記第２の情報とが対応付けられて、記録媒体に記録される。
【発明の効果】
【００１７】
以上のごとく、本発明の一側面によれば、早見再生が実現できる。特に、携帯機器を保有している外出先でも、屋内の記録装置と同様の早見再生を行うことができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の情報処理装置（例えば図１の記録装置１１）は、
コンテンツの記録を制御する情報処理装置であって、
前記コンテンツの再生形態を、第１の時間軸に従って再生される第１の形態（例えば図３の通常再生コンテンツであって、図７のストリームファイルに含まれるMPEG2 PS or TS）から、前記第１の時間軸とは異なる第２の時間軸で再生される第２の形態（例えば図３の早見再生コンテンツであって、例えば図７の早見再生ファイルであるMP4ファイルに含まれるmdat）に変換する再生形態変換手段（例えば図１や図７のＡＶエンコーダ２４とＡＶデコーダ２５）と、
前記第１の形態の前記コンテンツに対して時間位置が特定される第１の情報（例えば図３の通常再生コンテンツの時間軸に対して△（三角印）で付された各チャプタポイント位置からなるチャプタ情報であって、図７のストリームファイル内のチャプタ情報）を、前記第２の形態の前記コンテンツに対して時間位置が特定される第２の情報（（例えば図３の早見再生コンテンツの時間軸に対して△（三角印）で付された各チャプタポイント位置からなるチャプタ情報であって、図７の早見再生ファイルであるMP4ファイル内のmoovに含めるチャプタ情報）に変換する情報変換手段（例えば図１や図７のCPU２１）と、
前記再生形態変換手段により再生形態が前記第２の形態に変換された前記コンテンツと、前記情報変換手段により前記第１の情報から変換された前記第２の情報とを対応付けて（図７の例では、同一の早見再生ファイルに含めて）、第１の記録媒体（例えば図１や図７のＨＤＤ３４）に記録することを制御する記録制御手段（例えば図１や図７のディスクコントローラ２７）と
を備える。
【００２０】
前記第１の記録媒体には、前記第１の形態の前記コンテンツと前記第１の情報を含む第１のファイル（例えば図７のストリームファイル）が予め記録されており、
前記記録制御手段は、さらに、前記第２の形態の前記コンテンツと前記第２の情報を含む第２のファイルを生成し、前記第２のファイル（例えば図７の早見再生ファイル）を前記第１のファイルと対応付けて前記第１の記録媒体に記録することを制御する。
【００２１】
前記情報処理装置は、さらに、
前記第２のファイルを前記第１の記録媒体からムーブ先の第２の記録媒体（例えば図１の外部記録媒体１２）に転送し、前記第１のファイルに含まれる前記コンテンツの再生可否を、再生可能な活性状態から、再生不可能な不活性状態に遷移させることで、ムーブアウトを行う。
【００２２】
本発明の一側面の情報処理方法およびプログラムは、例えば上述した本発明の一側面の情報処理装置に対応する方法およびプログラムである。かかるプログラムは、例えば図１のCPU２１を含むコンピュータにより実行される。
【００２３】
以下、図面を参照して、本発明の実施の形態を説明する。
【００２４】
図１は、本発明が適用される情報処理装置の実施の形態としての記録装置の構成例を示している。
【００２５】
図１の記録装置１１において、CPU（Central Processing Unit）２１は、ROM（Read Only Memory）２２に記録されているプログラム、または記憶部３４からRAM（Random Access Memory）２３にロードされたプログラムに従って各種の処理を実行する。RAM２３にはまた、CPU２１が各種の処理を実行する上において必要なデータなども適宜記憶される。
【００２６】
CPU２１、ROM２２、およびRAM２３は、バス２９（以下、ストリームバス２９と称する）を介して相互に接続されている。このストリームバス２９にはまた、ＡＶエンコーダ２４、ＡＶデコーダ２５、チューナ２６、ディスクコントローラ２７、および入出力インタフェース２８が接続されている。
【００２７】
ＡＶエンコーダ２４、ＡＶデコーダ２５、およびチューナ２６はまた、バス３０（以下、ＡＶバス３０と称する）を介して相互に接続されている。
【００２８】
ＡＶエンコーダ２４は、映像信号と音声信号とをそれぞれ、所定の符号化方式に従って圧縮符号化し、その後、必要に応じて多重化したり暗号化する。なお、ＡＶエンコーダ２４が採用する符号化方式は、特に限定されない。具体例については後述するが、本実施の形態では、複数種類の符号化方式が採用されている。よって、ＡＶエンコーダ２４は、符号化方式の種類を自在に切り換えることができるように構成されている。
【００２９】
ＡＶデコーダ２５は、所定の符号化方式により圧縮符号化された映像信号と音声信号を、伸張復号化する。ただし、伸張復号化の対象データが暗号化データであった場合には、ＡＶデコーダ２５は、その暗号化データを解読（復号）した上で、伸張復号化する。また、伸張復号化の対象データが多重化データであった場合には、ＡＶデコーダ２５は、その多重化データを逆多重化した上で、伸張復号化する。即ち、ＡＶデコーダ２５は、映像信号と音声信号とに分離した上で、分離後の各信号をそれぞれ伸張復号化する。本実施の形態では、上述の如く複数種類の符号化方式が採用されている。よって、ＡＶデコーダ２５もまた、処理対象の符号化方式の種類に応じた伸張復号化の処理ができるように構成されている。
【００３０】
チューナ２６は、ユーザにより選択されたチャンネル（入力部３１の入力に対応するチャンネル）または予め設定されたチャンネルの放送電波、即ち、そのチャンネルに対応する放送局から放送された放送電波を図示せぬアンテナを介して受信して復調する。本実施の形態では、このチューナ２６は、いわゆるアナログ放送のチューナとデジタル放送のチューナとの両者を含むように構成されている。
【００３１】
このようなＡＶエンコーダ２４、ＡＶデコーダ２５、およびチューナ２６が接続されるＡＶバス３０にはまた、外部入出力処理部３８も接続されている。外部出力処理部３８は、ディスプレイ装置等の外部装置との間での映像信号や音声信号の入出力処理を適宜実行する。
【００３２】
ディスクコントローラ２７は、各種情報を、ＨＤＤ（Hard Disk Drive）などより構成される記憶部３４に読み書きする制御を行う。
【００３３】
また、ディスクコントローラ２７は、各種情報を、外部インタフェース３５を介して、外部記録媒体１２に読み書きする制御を行う。即ち、各種情報が、記録装置１１から外部記録媒体１２に転送可能とされている。なお、かかる転送の一例として、ムーブアウトについて後述する。また、各種情報が、外部記録媒体１２から記録装置１１にも転送可能とされている。なお、かかる転送の一例として、ムーブバックについて後述する。
【００３４】
さらにまた、ディスクコントローラ２７は、各種情報を、ドライブ３６を介して、リムーバブルメディア３７に読み書きする制御を行う。リムーバブルメディア３７は、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアとして構成される。
【００３５】
入出力インタフェース２８には、各種キーなどよりなる入力部３１、ディスプレイやスピーカなどよりなる出力部３２、および、モデムやターミナルアダプタなどより構成される通信部３３が接続されている。通信部３３は、インターネットを含むネットワークを介して他の情報処理装置との通信処理を行う。
【００３６】
このような図１の構成の記録装置１１は様々な動作を行うことができる。そこで、以下、記録装置１１の動作の幾つかの例について順次説明していく。
【００３７】
記録装置１１は、基本的な動作として、コンテンツを記録することができる。
【００３８】
ここに、コンテンツとは、広く、人間の創造的活動により生み出されるものである。例えば、映画、音楽、演劇、文芸、写真、漫画、アニメーション、コンピュータゲームその他の文字、図形、色彩、音声、動作若しくは映像若しくはこれらを組み合わせたものまたはこれらに係る情報を電子計算機を介して提供するためのプログラムが、コンテンツの一例である。
【００３９】
以下、これらのうちの、映像と音声から構成されるコンテンツが、記録装置１１の主な記録対象であるとして説明していく。より具体的には、アナログ放送またはデジタル放送の番組を構成するコンテンツが、記録装置１１の主な記録対象であるとして説明していく。
【００４０】
また、コンテンツの記録場所は、特に限定されず、例えばリムーバブルメディア３７等も可能であるが、以下説明の便宜上、記憶部３４（以下、ＨＤＤ３４とも称する）であるとする。
【００４１】
また、コンテンツのＨＤＤ３４への記録形態も、特に限定されない。ただし、本実施の形態では、コンテンツは、タイトル毎に管理されているとする。そして、１つのタイトルがＨＤＤ３４に記録される場合、記録装置１１内での再生に適した符号化方式で符号化された形態のコンテンツ（以下、記録装置用コンテンツと称する）と、転送先の外部記録媒体１２による再生に適した符号化方式で符号化された形態のコンテンツ（以下、外部記録媒体転送用コンテンツと称する）とが生成され、それらの両形態が対応付けられてＨＤＤ３４に記録されるとする。
【００４２】
より正確には、例えば本実施の形態では、記録装置用コンテンツと外部記録媒体転送用コンテンツとはそれぞれ、別々のファイルに含められてＨＤＤ３４に記録されているとする。よって、以下、これらのファイルの区別を明確なものとすべく、記録装置用コンテンツが含められるファイルを、ストリームファイルと称する一方、外部記録媒体転送用コンテンツが含められるファイルを、携帯動画ファイルと称する。
【００４３】
具体的には例えば本実施の形態では、図２に示されるように、「９時のニュース」、「ワールドカップ」、「今日の料理」といった１つの放送番組が１つのタイトルとして管理されている。そして、この１つの放送番組について、ストリームファイルと携帯動画ファイルとがそれぞれ構成されて、相互に対応付けられてＨＤＤ３４に記録される。なお、図２の例では、「９時のニュース」について、ニュースという名称のストリームファイルと携帯動画ファイルのみが図示されている。
【００４４】
換言すると、ユーザにとっては、ストリームファイルと携帯動画ファイルとの区別を特に認識する必要はなく、あくまでも、記録単位はタイトルであると認識して操作することができる。
【００４５】
例えば、ユーザは、所定タイトルの視聴（再生）を所望する場合、図２に示されるようなタイトルリストに掲載されている複数のタイトルの中から、所望の１つを選択する操作をするだけでよい。さらに、この場合、ユーザが選択できる再生の種類としては、通常速度（１倍速）の再生（以下、通常再生と称する）に加え、各種各様の特殊再生、例えば、通常速度よりも高速度での再生、即ち、早見再生も存在する。さらに、ユーザは、早見再生における再生速度（以下、早見速度と称する）も選択できるとする。
【００４６】
そこで、以下、記録装置１１の動作の一例として、早見再生の動作について説明する。
【００４７】
ディスクコントローラ２７は、ユーザにより選択されたタイトルのストリームファイル（記録装置用コンテンツ）を、ＨＤＤ３４から早見速度に応じて読み出して、ＡＶデコーダ２５に提供する。
【００４８】
ここで、記録装置用コンテンツは、例えばMPEG（Moving Picture Experts Group）-2システムストリームであるとする。
【００４９】
この場合、記録装置用コンテンツは暗号化されているので、ＡＶデコーダ２５は、それを適切に解読（復号）し、さらに、映像ストリームと音声ストリームとに分離し、それぞれ伸張復号化する。ＡＶデコーダ２５は、この伸張復号化の前後で、例えば早見速度に応じたフレーム間引き処理を行う。なお、以下、かかるフレーム間引き処理を伴うＡＶデコーダ２５の一連の処理を、間引きデコードと称する。間引きデコードの結果、早見速度に応じてフレームが適宜間引きかれた映像ベースバンド信号や音声ＰＣＭ信号が得られ、外部入出力処理部３８に提供される。
【００５０】
外部入出力処理部３８は、映像ベースバンド信号や音声ＰＣＭ信号を、モニタ装置等の外部装置に出力する。その際、外部入出力処理部３８は、例えば、グラフィック重畳処理、ダウンミックス処理、フィルタリング処理、Ｄ／Ａ変換処理等を必要に応じて適宜実行する。
【００５１】
これにより、ユーザは、モニタ装置等の外部装置から早見再生されるタイトルを視聴することができるようになる。
【００５２】
次に、記録装置１１の動作の別の例として、所定の放送番組を１つのタイトルとしてＨＤＤ３４に記録するまでの一連の動作について説明する。
【００５３】
ただし、アナログ放送の放送番組と、デジタル放送の放送番組とは、受信時の信号形態が異なるので、次のように動作が若干異なることになる。
【００５４】
即ち、 アナログ放送の放送番組の場合、 チューナ２６や外部入出力処理部３８から入力されたアナログの映像信号と音声信号は、チューナ２６や外部入出力処理部３８において、Ａ／Ｄ変換処理が施され、その結果、デジタル化された映像ベースバンド信号や音声ＰＣＭ信号となり、ＡＶエンコーダ２４に入力される。
【００５５】
ＡＶエンコーダ２４は、デジタル化された映像ベースバンド信号や音声ＰＣＭ信号を、例えばMPEG-2などの圧縮符号化された映像ストリームと音声ストリームとして、それらを多重化して、MPEG-2システムストリームとし、さらに暗号化を施し、その結果得られるストリームを記録装置用コンテンツとして、ディスクコントローラ２７に提供する。
【００５６】
ディスクコントローラ２７は、この記録装置用コンテンツをストリームファイルに含めてＨＤＤ３４に記録する。
【００５７】
このような記録装置用コンテンツの記録と並行して、外部記録媒体転送用コンテンツも次のようにしてＨＤＤ３４に記録される。
【００５８】
即ち、ＡＶエンコーダ２４は、デジタル化された映像ベースバンド信号や音声ＰＣＭ信号を、例えばMPEG-4などの圧縮符号化された映像ストリームと音声ストリームとして、それらを必要に応じて暗号化して多重化することで、MP4ファイル化して、ディスクコントローラ２７に提供する。
【００５９】
ディスクコントローラ２７は、かかるMP4ファイルを携帯動画ファイルとしてＨＤＤ３４に記録する。
【００６０】
その際、これらのストリームファイルと携帯動画ファイルとは、所定タイトルの対となるファイルとして相互に対応付けられてＨＤＤ３４に記録されることになる。
【００６１】
以上説明したアナログ放送の放送番組の場合の記録動作に対して、デジタル放送の放送番組の場合の記録動作は次のようにしてなされる。
【００６２】
即ち、デジタル放送の放送番組はチューナ２６で受信され、例えば、暗号化されたMPEG-2システムストリームとして、ＡＶデコーダ２５に入力される。
【００６３】
ＡＶデコーダ２５は、この暗号化されたMPEG-2システムストリームを復号（解読）する。そして、ＡＶデコーダ２５は、解読後のMPEG-2システムストリームを、映像ストリームと音声ストリームとに分離し、それぞれ伸張復号化する。これにより、デジタル化された映像ベースバンド信号や音声ＰＣＭ信号が得られ、ＡＶエンコーダ２４に入力される。
【００６４】
ＡＶエンコーダ２４は、デジタル化された映像ベースバンド信号や音声ＰＣＭ信号を、例えばMPEG-2などの圧縮符号化された映像ストリームと音声ストリームとして、それらを多重化して、MPEG-2システムストリームとし、さらに暗号化を施し、その結果得られるストリームを記録装置用コンテンツとして、ディスクコントローラ２７に提供する。
【００６５】
ディスクコントローラ２７は、この記録装置用コンテンツをストリームファイルに含めてＨＤＤ３４に記録する。
【００６６】
このような記録装置用コンテンツの記録と並行して、外部記録媒体転送用コンテンツも次のようにしてＨＤＤ３４に記録される。
【００６７】
即ち、ＡＶエンコーダ２４は、デジタル化された映像ベースバンド信号や音声ＰＣＭ信号を、例えばMPEG-4などの圧縮符号化された映像ストリームと音声ストリームとして、それらを必要に応じて暗号化して多重化することで、MP4ファイル化して、ディスクコントローラ２７に提供する。
【００６８】
ディスクコントローラ２７は、かかるMP4ファイルを携帯動画ファイルとしてＨＤＤ３４に記録する。
【００６９】
その際、これらのストリームファイルと携帯動画ファイルとは、所定タイトルの対となるファイルとして相互に対応付けられてＨＤＤ３４に記録されることになる。
【００７０】
なお、上述した記録の動作はあくまでも例示にしか過ぎない。即ち、最終的に、１つのタイトルについて、ストリームファイルと携帯動画ファイルとが対となって相互に対応付けられて記録されれば足りるのであって、それまでの動作の流れや方法は特に限定されない。具体的には例えば、記録装置１１は、デジタル放送の放送番組については、チューナ２６に受信されたストリームを解読（復号）した後、再度暗号化し、映像や音声の圧縮符号化処理を伴わずにＨＤＤ３４に記録するようにしてもよい。
【００７１】
ここで、本実施の形態で携帯動画ファイルとして採用されているMP4ファイルについて、その概略を説明する。
【００７２】
MP4ファイルとは、ISO/IEC14496-12に基づくMP4形式のファイルをいい、具体的には次のような構成をとるファイルをいう。
【００７３】
即ち、 MP4ファイルは、動画と音声の符号化データの集合であるmdatと、それらのデータ位置と提示時間のテーブルを中心としたmoovと称されるデータから主に構成される。
【００７４】
mdatが、本実施の形態でいう外部記録媒体転送用コンテンツに該当する。
【００７５】
moovは、動画や音声のトラックから構成されている。 各トラックは、アクセスユニット（動画なら１ピクチャ）のファイル先頭からのデータ位置と提示時間のテーブルなどを格納している。 moovには、タイトル名や作成日時といったメタデータを格納することもできる。即ち、moovには、記録媒体転送用コンテンツに関する各種メタデータを格納することができる。
【００７６】
そこで、例えばチャプタポイントの時間的配置位置（以下、チャプタポイント位置と称する）をメタデータのひとつとしてmoovに含めることもできる。
【００７７】
ここで、チャプタポイントの伏し方の手法自体は、特に限定されない。例えば、コンテンツ中の所定の特徴を示す点（以下、特徴点と称する）を検出し、その特徴点をチャプタポイントとするという手法を採用することができる。本実施の形態でもかかる手法が採用されているとする。
【００７８】
即ち、かかる手法を実現すべく、本実施の形態の記録装置１１は、特徴点を検出できる機能を有しているとする。即ち、上述したように、コンテンツがＨＤＤ３４に記録されるまでの期間には、コンテンツの形態が、映像ベースバンド信号や音声PCM信号となるタイミングがある。そこで、例えば、CPU２１は、かかるタイミングにおいて、映像ベースバンド信号または音声PCM信号を所定単位毎（例えばフレーム毎、GOP毎、チャンク毎等）に解析することで、所定の特徴量をその都度検出し、それらの特徴量の時系列推移を認識する。そして、CPU２１は、その認識結果に基づいて、特徴点を検出する。CPU２１は、かかる特徴点をチャプタポイントとして、各チャプタポイント位置を示す情報（以下、チャプタ情報と称する）を生成する。
【００７９】
この場合、CPU２１は、チャプタ情報をコンテンツのメタデータとしてＨＤＤ３４に記録させるように制御することができる。即ち、CPU２１は、チャプタ情報を、対応する携帯動画ファイルのmoovに付加することができる。
【００８０】
チャプタ情報のmoovへの付加手法自体は、特に限定されないが、例えば次のような手法を採用することができる。
【００８１】
第１の手法とは、moovのユーザ領域に、チャプタの時間情報を順に並べる手法である。
【００８２】
第２の手法とは、moovにチャプタトラックを用意して、チャプタ画像とチャプタ時間情報のテーブルを格納する手法である。
【００８３】
なお、かかるチャプタ情報は、記録装置１１上での再生時にも利用可能であるので、対となるストリームファイル、即ち、同一タイトルの記録装置用コンテンツを含むストリームファイルに含めることもできる。
【００８４】
さらに言えば、チャプタ情報は、外部記録媒体転送用コンテンツとしてのmdatと対応付けられていれば足り、moovに格納することは必須ではない。
【００８５】
例えば、mdatを含むMP4ファイルとは別に、そのMP4ファイルと対になるチャプタ専用ファイルを用意して、その専用ファイルに、チャプタの時間情報を並べるか、チャプタ画像とチャプタ時間情報のテーブルを格納する、という手法を採用することもできる。
【００８６】
或いはまた、外部記録媒体１２に記録されているMP4ファイルのデータベースを記録装置１１のＨＤＤ３４等に用意して、そのデータベースにチャプタ情報を登録する、即ち、そのデータベースに、チャプタの時間情報を並べるか、チャプタ画像とチャプタ時間情報のテーブルを格納する、という手法を採用することもできる。
【００８７】
以上、記録装置１１の動作の一例として、タイトルの早見再生の動作（以下、早見再生動作と称する）と、タイトルのＨＤＤ３４への記録（ストリームフィルや携帯動画ファイルの作成）の動作（以下、コンテンツ記録動作と称する）について説明した。
【００８８】
ここで、早見再生動作とコンテンツ記録動作とはそれぞれ独立した動作であるため、並列実行、即ち、同時実行が可能である。
【００８９】
してみると、記録装置１１は、ＨＤＤ３４に記録された所定タイトルを早見再生しつつ、即ち、フレーム間引き等が施された早見再生用のストリームを生成しつつ、その早見再生用のストリームを、外部記録媒体転送用コンテンツとして、携帯動画ファイルに含めてＨＤＤ３４に再記録することもできる。以下、かかる早見再生用の携帯動画ファイルを、通常再生用の携帯動画ファイルと区別すべく、早見再生ファイルと称する。また、早見再生ファイルに含められる外部記録媒体転送用コンテンツを、早見再生コンテンツと称する。
【００９０】
かかる早見再生ファイルにもチャプタ情報を含めることができれば、ユーザは、早見再生機能を有しない外部の再生装置を用いても、所望のチャプタポイント位置から早見再生を行うことができるようになり、便宜である。
【００９１】
しかしながら、早見再生コンテンツとは、通常再生用の記録装置用コンテンツ（以下、早見再生コンテンツとの対比をする場合、通常再生コンテンツと称する）から何枚かのフレームが適宜間引かれたコンテンツである。換言すると、早見再生コンテンツに含まれるフレームは、通常再生コンテンツにも含まれているが、当該同一フレームの再生時刻（時間的配置位置）は全く異なっている。即ち、通常再生コンテンツの時間軸と、早見再生コンテンツの時間軸は異なっている。よって、通常再生コンテンツにおけるチャプタポイント位置を、早見再生コンテンツにそのまま承継することはできない。
【００９２】
そこで、記録装置１１のCPU２１は、図３に示されるように、各チャプタポイント位置を、通常再生コンテンツの時間軸上の位置（図３中上側の△（三角印）の配置位置）から、早見再生コンテンツの時間軸上の位置（図３中下側の△（三角印）の配置位置）に変換する処理（以下、早見時間軸変換処理と称する）を施し、その変換後の各チャプタポイント位置を示す情報をチャプタ情報として、早見再生ファイルと対応付ければよい。ここで、対応付けると記述したのは、変換後のチャプタ情報を、早見再生ファイルのmoovに含ませることも可能であるが、上述したように、早見再生ファイルと対応付けた別の専用ファイルや、データベース等に含ませることも可能であるからである。
【００９３】
さらに、図４と図５の具体例を用いて、早見時間軸変換処理について説明していく。
【００９４】
図４は、通常再生コンテンツの具体例を示す図である。
【００９５】
図４において、フィルムのコマが、通常再生コンテンツの内容を意味している。即ち、図４の例では、通常再生コンテンツは、放送番組の本編と、本篇の合間に放送されるCM（Commercial Message）から構成されている。なお、図４におけるCMとCM2は、別々のCMであることを示している。また、時間軸右方のαＭβＳ（α，βは数字）という表示は、通常再生コンテンツの先頭フレームの表示開始時刻を０とした場合の時刻、即ち、α分β秒であることを意味している。また、フィルム横の棒グラフは、音声PCM信号の所定単位（例えばGOPやチャンク）毎の音声レベルを示しており、図中右方向にいくほどレベルが大きいことを示している。即ち、図４の例では、特徴量として、音声レベルが採用されている。なお、この段落の前提事項は、図５についても同様にあてはまる。
【００９６】
ここでは、CMの頭出しや番組本編の頭出しを容易にすることを考える。この場合、CPU２１は、本篇とCMとの合間、若しくは、CMと別のCMとの合間を、チャプタポイント（特徴点）として検出すればよい。
【００９７】
例えば日本国のCMは１５秒単位で放送され、その前後には画面の切り替わりが発生し、無音部分が存在することが多い。よって、CPU２１は、例えば音声レベルの変化を解析し、無音部分である時間軸上の位置を、特徴点、即ちチャプタポイントとして検出することができる。即ち、図４の例では、０分３０秒、０分４５秒、１分００秒がチャプタポイント位置として検出されることになる。
【００９８】
なお、CPU２１は、フレーム画像の所定の特徴量を採用し、画面が切り替わる時間軸上の位置を、特徴点、即ちチャプタポイントとして検出することもできる。
【００９９】
図５は、早見速度を通常速度の1.5倍とした場合の早見再生コンテンツの具体例を示している。
【０１００】
図５から明らかなように、図４の通常再生コンテンツの時間軸上で示されるチャプタポイント位置、即ち、０分３０秒、０分４５秒、１分００秒をチャプタポイント位置としてそのまま承継してしまうと、CMの頭出しや番組本編の頭出しが上手くできないことになる。図４の通常再生コンテンツの時間軸と、図５の早見再生コンテンツの時間軸とは異なっているからである。
【０１０１】
このため、CPU２１は、上述の早見時間軸変換処理、即ち、各チャプタポイント位置を、通常再生コンテンツの時間軸上の位置から、早見再生コンテンツの時間軸上の位置に変換する処理を実行するのである。図５の例では、早見速度が通常速度の1.5倍とされている。即ち、早見再生コンテンツの時間軸（図５）とは、通常再生コンテンツの時間軸（図４）に比較して1.5倍の速さで時間が経過していく時間軸である。即ち、通常再生コンテンツの時間軸上の所定時刻を2/3倍とした時刻が、早見再生コンテンツの時間軸上での対応時刻となる。よって、CPU２１は、各チャプタポイントの通常再生コンテンツの時間軸上の位置を、その2/3倍の時刻の位置に変換すればよい。即ち、CPU２１は、０分３０秒をその2/3倍の０分２０秒に変換し、０分４５秒をその2/3倍の０分３０秒に変換し、１分００秒をその2/3倍の０分４０秒に変換すればよい。
【０１０２】
これにより、早見再生コンテンツの再生でも、CMの頭出しや番組本編の頭出しが容易にできるようになるために、ユーザの利便性が向上する。
【０１０３】
さらに、以下、図６と図７を参照して、このような早見時間軸変換処理も含む、早見再生ファイルを作成するまでの一連の処理（以下、早見再生ファイル作成処理と称する）について説明する。
【０１０４】
図６は、早見再生ファイル作成処理の一例を説明するフローチャートである。
【０１０５】
図７は、早見再生ファイル作成処理が実行される際の各種情報の流れの概略を示している。
【０１０６】
なお、図７の例では、早見時間軸変換処理後のチャプタ情報がmoovに格納されているが、上述の如く、チャプタ情報の格納場所はmoovに限定されない。また、説明の簡略上、ＨＤＤ３４には、転送対象のタイトルのストリームファイルしか図示されていない。ただし、上述の如く実際には、転送対象のタイトルの携帯動画ファイル（通常再生用）も、ストリームファイルと対応付けられて記録されている場合がある。また、図７のストリームファイル中の「MPEG2 PS or TS」と記述されたデータが、転送対象のタイトルの記録装置用コンテンツを示している。
【０１０７】
図６のステップＳ１において、記録装置１１は、転送対象のタイトルを記録装置１１内部で早見再生（間引きデコード）するとともに、早見再生しているタイトルを再記録する（転送先の外部記録媒体１２に適した符号化方式でエンコードする）。
【０１０８】
即ち、図７に示されるように、ストリームファイル中の「MPEG2 PS or TS」と記述されたデータ、即ち、転送対象のタイトルの記録装置用コンテンツが、ディスクコントローラ２７によって読み出されてＡＶデコーダ２５に提供され、ＡＶデコーダ２５によって間引きデコードがなされることで、記録装置１１内部での早見再生が行われる。
【０１０９】
このようにして、間引きデコードがなされたコンテンツ、即ち、早見速度に応じて適宜フレームが間引かれた映像ベースバンド信号や音声ＰＣＭ信号は、ＡＶエンコーダ２４に提供される。かかる間引きデコードがなされたコンテンツは、ＡＶエンコーダ２４によってMP4ファイル化される。かかるMP４ファイルが、ディスクコントローラ２７によって、早見再生ファイルとしてＨＤＤ３４に記録される。即ち、早見再生しているタイトルが再記録される。図７の例では、mdatが、早見再生コンテンツとなっている。
【０１１０】
ステップＳ２において、記録装置１１は、転送対象のタイトルの通常再生コンテンツ用のチャプタ情報を取得する。図７の例では、転送対象のタイトルの通常再生コンテンツ用のチャプタ情報は、ストリームファイルに含められてＨＤＤ３４に記録されている。そこで、かかるチャプタ情報は、ディスクコントローラ２７によってストリームファイルから読み出されて、CPU２１に提供される。
【０１１１】
ステップＳ３において、記録装置１１は、取得したチャプタ情報に対して、早見時間軸変換処理を施して、早見再生ファイル用のチャプタ情報を生成する。そして、ステップＳ４において、記録装置１１は、早見再生ファイルにチャプタ情報を付加する。
【０１１２】
即ち、図７の例では、CPU２１が、ストリームファイルから取得されたチャプタ情報により特定される各チャプタポイント位置を、通常再生コンテンツの時間軸上の位置から、早見再生コンテンツの時間軸上の位置に変換する。そして、変換後の各チャプタポイント位置を示すチャプタ情報、即ち、早見再生ファイル用のチャプタ情報が、早見再生ファイルのmoovに格納されることで、早見再生ファイルに付加される。
【０１１３】
このようにして作成された早見再生ファイルは、通常再生用の携帯動画ファイルと全く同様に、外部記録媒体１２への転送が可能になる。即ち、記録装置１１は、通常再生用の携帯動画ファイルに加えてさらに、早見再生ファイルも外部記録媒体１２に転送することができる。
【０１１４】
ここで、外部記録媒体１２への転送の一形態であるムーブアウトについて説明する。
【０１１５】
即ち、現状、高品質の映像コンテンツが可搬型の記録媒体に容易に保存できるようになるのに伴い、映像コンテンツの著作権保護の重要性が高まってきている。映像コンテンツに対する著作権保護の手法としては、映像コンテンツにコピーの可否を示すコピー制御情報（CCI：Copy Control Information ）を添付する手法が現在一般的に用いられている。例えば、コピー制御情報を用いることで、各映像コンテンツについて、コピーを制限しない状態（コピーフリー，Copy Free ）、１回のみのコピーを許可する状態（コピーワンス，Copy Once ）、コピーを禁止する状態（コピーネバー，Copy Never ）などの状態を取らせることが可能になる。なお、上述したデジタル放送では現在、すべての映像コンテンツについて“コピーワンス”を示すコピー制御情報が添付されており、記録装置は通常、このような映像コンテンツを“コピーネバー”としてから記録媒体に記録する。
【０１１６】
また、“コピーネバー”とされて記録媒体に記録された映像コンテンツは、その記録媒体側での元のデータの消去を条件に、別の記録媒体にコピーすることが許可される。このような元のデータを消去して別の記録媒体にコピーする動作は“ムーブ（Move ）”と称されている。これにより例えば、映像コンテンツが、デジタル放送などを通じて記録装置に受信されて、その記録装置内のHDDに記録された場合、ユーザがその映像コンテンツを長期保存したい考えたときには、DVDなどのリムーバブルメディアにムーブすることが可能となる。その結果、ユーザの利便性の向上と、不正な大量コピーの防止との両立が図られる。
【０１１７】
さらに、ムーブ先にコピーされた映像コンテンツは、そのムーブ先での消去を条件に、ムーブ元に再コピーが可能である。即ち、ムーブ元からムーブ先への１回目のムーブと、その後のムーブ先からムーブ元への２回目のムーブとが可能である。以下、１回目のムーブをムーブアウトと称し、２回目のムーブをムーブバックと称する。
【０１１８】
即ち、本実施の形態では、所定タイトルがムーブ対象となり、記録装置１１から外部記録媒体１２に対してムーブアウトが行われ、外部記録媒体１２から記録装置１１に対してムーブバックが行われる。
【０１１９】
このようなムーブ対象候補の各タイトルは、例えば本実施の形態の記録装置１１内では、所定のIDにより他のタイトルと区別されて管理されている。即ち、所定タイトルは、ストリームファイルと携帯動画ファイルとの両形態で、それらが対応付けられてＨＤＤ３４等に記録されていると上述したが、その所定タイトルを示すIDによって対応付けられているのである。
【０１２０】
この場合、ムーブ対象のタイトルがムーブアウトされる場合、携帯動画ファイルが外部記録媒体１２に転送されることになる。即ち、早見再生ファイルも携帯動画ファイルの一形態であるので、ムーブ対象のタイトルの早見再生ファイルが、外部記録媒体１２に転送されることになる。
【０１２１】
ここで、注意すべき点は、ムーブアウト時には、ムーブ元の記録装置１１内のムーブ対象のタイトルは消去する必要がある。しかしながら、本実施の形態でいうタイトルの消去とは、ムーブ元からタイトルの実データ（ストリームファイル等）の存在そのものを削除することを意味しない点である。即ち、ムーブ対象のタイトルの使用権が、ムーブ元の記録装置１１からムーブ先の外部記録媒体１２に移ったことが、ムーブアウト時にムーブ元のタイトルが消去されることの意味である。なお、タイトルの使用権とは、例えば本実施の形態ではタイトルの視聴権を意味する。
【０１２２】
即ち、ムーブ対象のストリームファイル等の実データそのものは、ムーブアウトされても、削除されずに記録装置１１に保持されたままである。その代わり、ムーブアウト前には、ストリームファイルによるタイトルの記録装置１１内での再生が可能であった状態が、ムーブアウトによって、ストリームファイルによるタイトルの記録装置１１内での再生が不可能な状態に遷移することになる。なお、以下、コンテンツが再生可能な状態を活性状態と適宜称する。これに対して、再生が不可能な状態を不活性状態と適宜称する。
【０１２３】
本実施の形態では、上述の如く各タイトルはIDで管理されている。さらに、本実施の形態では、各ID（各タイトル）の再生可否状態は、例えば再生管理情報によって管理されている。即ち、本実施の形態では、所定の１つのタイトルに対して、そのIDと、活性状態または不活性状態を示す情報（以下、再生可否情報と称する）とを少なくとも含む再生管理情報が１つ作成され、ストリームファイルや携帯動画ファイル（早見再生ファイル含む）とは別に保持されている。即ち、各タイトルのそれぞれの再生管理情報が記録装置１１に保持されており、各IDにより、各タイトルのストリームファイルや携帯動画ファイル（早見再生ファイル含む）とそれぞれ対応付けられているのである。
【０１２４】
即ち、本実施の形態では、ムーブ対象のタイトルがIDで特定され、そのIDを有する携帯動画ファイル（早見再生ファイル含む）が外部記録媒体１２に転送されるとともに、そのIDで特定される再生管理情報の再生可否情報が、不活性状態を示す情報に更新されることが、ムーブ対象のタイトルのムーブアウト処理となる。
【０１２５】
このようなムーブアウト処理が行われると、外部記録媒体１２内のタイトル（携帯動画ファイル）は、他の携帯機器等で再生することが可能となる。
【０１２６】
次に、ムーブバックについて説明する。
【０１２７】
記録装置１１と外部記録媒体１２とが有線または無線通信によって接続されると、記録装置１１は、外部記録媒体１２に格納されている携帯動画ファイル（早見再生ファイル含む）のIDを取得する。そして、記録装置１１は、取得したIDと、記録装置１１中で不活性状態として管理されている各IDとの照合をそれぞれ行う。本実施の形態では上述したように、記録装置１１中で不活性状態として管理されているIDは、再生管理情報から得られる。即ち、記録装置１１は、再生可否情報が不活性状態を示す情報となっている１以上の再生管理情報を検索対象とし、これらの検索対象から各IDをそれぞれ検索し、検索した各IDと、外部記録媒体１２から取得したIDとの照合をそれぞれ行う。
【０１２８】
そして、検索した各IDの中に、取得したIDと一致するものが存在した場合、記録装置１１は、その一致したIDを有するタイトルの状態を、不活性状態から一時的活性状態に遷移させる。一時的活性状態とは、所定の条件が満たされている間のみ再生可能とする状態をいう。なお、所定の条件については、特に限定されないが、例えば本実施の形態では、接続中であることが採用されているとする。具体的には本実施の形態では、そのIDにより特定される再生管理情報の再生可否情報が、一次的活性状態を示す情報に更新される。
【０１２９】
ただし、このとき、外部記録媒体１２は、記録装置１１と接続されることによって、記録装置１１によって占有されて、記録装置１１の管理下になったものとされる。かかる場合、外部記録媒体１２は、携帯機器等などに内蔵もしくは同時に接続されていたとしても、携帯機器等側ではタイトル（携帯動画ファイル）の再生が不能となる。
【０１３０】
即ち、外部記録媒体１２の占有とは、記録装置１１以外の別の装置が外部記録媒体１２にアクセスしない状態を意味している。一方、記録装置１１の管理下とは、記録装置１１が外部記録媒体１２にアクセスすることが可能な状態を意味している。即ち、「記録装置１１によって占有されて、記録装置１１の管理下になった」とは、記録装置１１とは別の装置、例えば、携帯機器等が外部記録媒体１２内のタイトル（携帯動画ファイル）の再生、コピー、消去等を実行しない状態において、記録装置１１が外部記録媒体１２に対してアクセス可能であることを意味している。
【０１３１】
このようにして、ムーブアウト先のタイトル（携帯動画ファイル）を削除せずに、仮想的なムーブバック処理が実現可能となる。
【０１３２】
このような仮想的なムーブバック処理が行われると、記録装置１１内のタイトル（ストリームファイル）は、記録装置１１内などで再度再生することが可能となる。
【０１３３】
さらに、次のような再ムーブアウトも可能である。
【０１３４】
即ち、上述の仮想的なムーブバック処理が行われた状態において、記録装置１１と外部記録媒体１２の接続が切断されると、即ち外部記録媒体１２が記録装置１１の管理下から外されると、記録装置１１はムーブアウト処理を直ちに開始する。即ち、記録装置１１は、一時的活性状態にあったタイトルを再び不活性状態に遷移させる。具体的には本実施の形態では、そのIDにより特定される再生管理情報の再生可否状態情報が、不活性状態を示す情報に更新される。
【０１３５】
これにより、外部記録媒体１２内のタイトル（携帯動画ファイル）は、他の携帯機器等で再度再生することが可能となる。
【０１３６】
以上説明したように、仮想的なムーブバック処理を実行することで、ムーブアウト先のタイトルの実データ（携帯動画ファイル）の削除は伴わないムーブバックが実現可能になる。これにより、再ムーブアウト時には、コンテンツの実データの再転送は一切不要になる。
【０１３７】
従って、再ムーブアウトの処理時間が短縮でき、ユーザの利便性が向上する、という効果を奏することが可能になる。即ち、近年の記録媒体の記録容量の増大に伴い、コンテンツデータの容量も増加傾向にあり、このような大容量コンテンツデータの転送には長時間が必要であり、その分だけ、再ムーブアウトの処理時間も長時間必要であった。これに対して、上述した再ムーブアウトの処理では、大容量コンテンツデータの再転送は一切不要になるので、その転送時間が不要となる分だけ、再ムーブアウトの処理時間が短縮でき、ユーザの利便性が向上する、という効果を奏することが可能になる。
【０１３８】
また、記録装置１１は、外部記録媒体１２を管理下においているときのみに、記録装置１１内の元コンテンツを再生可能とするため、セキュリティも損なわれない、という効果を奏することも可能である。
【０１３９】
なお、上述の仮想的なムーブバック処理が行われた状態において、記録装置１１と外部記録媒体１２とが接続され、その接続が切断される前に、外部記録媒体１２から携帯動画ファイル（早見再生ファイル含む）が削除されれば、記録装置１１は、対応するIDを有するタイトルの状態を不活性状態から、一時的活性状態ではなく、活性状態に遷移させる。または、記録装置１１は、一時的活性状態に遷移した後、活性状態に遷移する。具体的には本実施の形態では、そのIDにより特定される再生管理情報の再生可否状態情報が、活性状態を示す情報に更新される。この場合、その後、記録装置１１と外部記録媒体１２の接続が切断された場合にも、タイトルの活性状態は維持されることになる。即ち、記録装置１１と外部記録媒体１２の接続が切断された場合においても、記録装置１１側でのストリームファイルによるタイトルの再生が可能になる。
【０１４０】
ところで、以上の説明では、ムーブ等により外部記録媒体１２に転送される携帯動画ファイルに対して付加されるメタデータは、チャプタ情報のみであった。しかしながら、携帯動画ファイルに対して付加可能なメタデータは、チャプタ情報に特に限定されない。
【０１４１】
具体的には例えば、字幕情報を、携帯動画ファイルのメタデータとして付加することができる。ただし、字幕情報には、字幕データと、その字幕データの時間位置も含む。即ち、字幕情報は、上述したチャプタ情報と同様に、時間位置で特定される情報である。よって、携帯動画ファイルとして早見再生ファイルが採用される場合には、字幕情報も、チャプタ情報と全く同様に、早見時間軸変換処理を施す必要がある。
【０１４２】
また例えば、携帯動画ファイルの転送（ムーブアウト）前に、その携帯動画ファイルと対になるストリームファイル（即ち同一IDのタイトル）が記録装置１１内で再生されていた場合、その再生停止位置を、つづき再生（レジューム再生）開始位置として、それを携帯動画ファイルのメタデータとして付加することができる。
【０１４３】
この場合、外部記録媒体１２に転送されたタイトル（携帯動画ファイル）が携帯機器等により再生される場合、その携帯動画ファイルにメタデータとして含まれているつづき再生（レジューム再生）開始位置からの再生、即ち、記録装置１１側での再生停止位置からの再生が可能になる。これにより、ユーザは、そのタイトルを、記録装置１１側で視聴し終えた続きの場所から、視聴することができるようになる。
【０１４４】
ただし、つづき再生開始位置とは、上述したチャプタポイント位置と同様に、時間位置で特定される情報である。よって、携帯動画ファイルとして早見再生ファイルが採用される場合には、つづき再生開始位置も、チャプタ情報と全く同様に、早見時間軸変換処理を施す必要がある。
【０１４５】
具体的には例えば、装置１１がタイトルを先頭から６分間通常再生（1倍速の再生）をしていたとする。この場合、再生停止位置は６分となる。よって、例えば早見速度が1.5倍速である早見再生ファイルが転送対象である場合、記録装置１１は、早見時間軸変換処理を施して、再生停止位置を６分から４分（＝６分×2/3）に変換し、その４分をつづき再生開始位置として、早見再生ファイルに付加する必要がある。
【０１４６】
これにより、ユーザは、そのタイトルを、記録装置１１側で視聴し終えた続きの場所から、即ち、1.5倍速の早見再生では４分の位置から（１倍速の通常再生では６分に相当する位置から）、転送先の携帯機器等で視聴することができるようになる。
【０１４７】
なお、その後、ユーザが、転送先の携帯機器等で、1.5倍速の早見再生では８分の位置まで視聴して、そこで視聴停止（再生停止）したとする。この場合、転送先の携帯機器等は、そのタイトルのメタデータのひとつであるつづき再生開始位置を、８分に更新することもできる。そして、そのタイトルが記録装置１１にムーブバックされたとき、記録装置１１は、早見時間軸変換処理の逆変換処理を施して、つづき再生開始位置を８分から１２分（＝８分×3/2）に変換することもできる。
【０１４８】
これにより、ユーザは、そのタイトルを、転送先の携帯機器等で視聴し終えた続きの場所から、即ち、1倍速の通常再生では１２分の位置から（1.5倍速の早見再生では８分に相当する位置から）、記録装置１１側で再度視聴することができるようになる。
【０１４９】
なお、つづき再生開始位置は、上述の例では、直前の再生停止位置として説明してきたが、上述の例に限定されず、例えば、再生停止位置の数秒乃至数十秒前等の適当な時間位置を採用することもできる。
【０１５０】
また例えば  上述した図４に示されるように、チャンクやGOP単位で取得される音声レベルを、携帯動画ファイルのメタデータとして付加することもできる。これにより、転送先の携帯機器等でも、音声レベルが大きいシーン（例えば図４中音声レベルが白色の箇所）だけを再生することも可能になる。
【０１５１】
ただし、音声レベルも、上述したチャプタポイント位置と同様に、時間位置で特定される情報である。よって、携帯動画ファイルとして早見再生ファイルが採用される場合には、図５に示されるように、音声レベルも、チャプタ情報と全く同様に、早見時間軸変換処理を施す必要がある。
【０１５２】
また例えば、そのシーンが盛り上がっているか否かを示す指標情報(スコア等)を、携帯動画ファイルのメタデータとして付加することもできる。具体的には例えば、図４の音声レベルを盛り上がりの度合と見立てて、閾値レベル（図４中点線）以上の音声レベルを有するシーンを１（盛り上がっているシーン）、閾値レベル未満の音声レベルを有するシーンを０（盛り下がっているシーン）とした情報を、携帯動画ファイルのメタデータとして付加することができる。これにより、転送先の携帯機器等でも、盛り上がっているシーン（例えば図４中音声レベルが点線以上の箇所）だけを再生することも可能になる。
【０１５３】
ただし、かかる指標情報も、上述したチャプタポイント位置と同様に、時間位置で特定される情報である。よって、携帯動画ファイルとして早見再生ファイルが採用される場合には、指標情報等も、チャプタ情報と全く同様に、早見時間軸変換処理を施す必要がある。
【０１５４】
また例えば、そのシーンが特定のシーン（ＣＭ等）であるか否かのフラグを、携帯動画ファイルのメタデータとして付加することができる。具体的には例えば、図４の先頭から０分３０秒までを「１」、０分３０秒乃至１分００秒を「０」、１分００秒以降を「１」にセットした情報を、携帯動画ファイルのメタデータとして付加することができる。この場合、「１」にセットされたシーンだけを再生することで、ＣＭをスキップした状態での再生が実現可能になる。
【０１５５】
ただし、かかるフラグも、上述したチャプタポイント位置と同様に、時間位置で特定される情報である。よって、携帯動画ファイルとして早見再生ファイルが採用される場合には、フラグも、チャプタ情報と全く同様に、早見時間軸変換処理を施す必要がある。
【０１５６】
以上の内容をまとめると、携帯動画ファイルのメタデータとしては様々な情報が採用可能である。さらに、時間位置で特定される情報をメタデータとして採用し、かつ、携帯動画ファイルとして早見再生ファイルが採用される場合には、その時間位置で特定される情報に対して、早見時間軸変換処理を施すことで、次のような効果を奏することが可能になる。
【０１５７】
即ち、早見再生機能を持たない携帯機器でも早見再生による視聴が可能になり、チャプタやつづき再生などの利便性の高い機能もそのまま利用可能になる、という効果を奏することが可能になる。
【０１５８】
換言すると、かかる効果を奏するためには、早見時間軸変換処理をメタデータに施すことができれば足り、早見再生ファイルに含める早見再生コンテンツの生成手法は、上述した間引きデコードに限定されず、結局次の手法であればよい。即ち、コンテンツの再生形態を、第１の時間軸（例えば通常再生用の時間軸）に従って再生される第１の形態から、第１の時間軸とは異なる第２の時間軸（例えば早見再生用の時間軸）で再生される第２の形態に変換し、変換後の第２の形態のコンテンツを、早見再生コンテンツとして採用する、といいった生成手法であれば、早見時間軸変換処理をメタデータに施すことができるので、その結果、上述した効果を奏することが可能になる。
【０１５９】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な図１の記録装置１１等を適宜含むコンピュータや、汎用のパーソナルコンピュータなどに、プログラム記録媒体からインストールされる。
【０１６０】
コンピュータにインストールされ、コンピュータによって実行可能な状態とされるプログラムを格納するプログラム記録媒体は、図１に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア３７、または、プログラムが一時的もしくは永続的に格納されるROM２２や、記憶部（ＨＤＤ）１３４を構成するハードディスクなどにより構成される。プログラム記録媒体へのプログラムの格納は、必要に応じて通信部３３を介して、ローカルエリアネットワーク、インターネット、デジタル衛星放送といった、有線または無線の通信媒体を利用して行われる。
【０１６１】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１６２】
【図１】本発明が適用される記録装置の構成例を示すブロック図である。
【図２】図１の記録装置の動作例を説明する図である。
【図３】図１の記録装置の動作例を説明する図である。
【図４】図１の記録装置の動作例を説明する図である。
【図５】図１の記録装置の動作例を説明する図である。
【図６】図１の記録装置の動作例であって、早見再生ファイル作成処理を説明するフローチャートである。
【図７】図６の早見再生ファイル作成処理時の情報の流れを説明する図である。
【符号の説明】
【０１６３】
１１  記録装置，  １２  外部記録媒体，  ２１  CPU，  ２２  ROM，  ２３  RAM，  ２４  AVエンコーダ，  ２５  AVデコーダ，  ２６  チューナ，  ２７  ディスクコントローラ，  ２８  入出力インタフェース，  ２９  ストリームバス，  ３０  AVバス，  ３１  入力部，  ３２  出力部，  ３３  通信部，  ３４  記憶部（HDD），  ３５  外部インタフェース，  ３６  ドライブ，  ３７  リムーバブルメディア
【図１】
2009070525.tif 000003
【図２】
2009070525.tif 000004
【図３】
2009070525.tif 000005
【図４】
2009070525.tif 000006
【図５】
2009070525.tif 000007
【図６】
2009070525.tif 000008
【図７】
2009070525.tif 000009